【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
人間の組織により反射されたまたは人間の組織を通して伝えられた少なくとも二つの所定波長の電磁波の強さから成分の濃度を決定する成分濃度決定方法であって、
（１）受信した電磁波の強さを少なくとも一つの第１のおよび一つの第２の電気信号（Ｌ１［ｉ］、Ｌ２［ｉ］）に変換するステップと、
（２）第１の信号の連続第１一時平均値（Ｌ１ａｖｇ［ｉ］）を形成するステップと、
（３）第２の信号の連続第２一時平均値（Ｌ２ａｖｇ［ｉ］）を形成するステップと、
（４）前記第１の信号および前記第１の平均値から第１の交番成分（ＡＣ１［ｉ］）を連続的に決定するステップと、
（５）前記第２の信号および前記第２の平均値から第２の交番成分（ＡＣ２［ｉ］）を連続的に決定するステップと、
（６）交番成分のゼロ通過に近い領域を除き、前記第１および第２の信号からの他、前記第１および第２の連続一時的平均値からも連続比（Ｒ［ｉ］）を決定するステップと、
（７）前記連続比（Ｒ［ｉ］）から成分の濃度を得るステップと、を備えている成分濃度決定方法。
【請求項２】
人間の組織を通る血液の流れの酸素飽和度を決定する請求項１に記載の成分濃度決定方法。
【請求項３】
別に、前記第１の交番成分（ＡＣ１［ｉ］）または前記第２の交番成分（ＡＣ２［ｉ］）のゼロ通過に基づき血液の前記流れの脈拍数を決定するステップを備えている請求項２に記載の成分濃度決定方法。
【請求項４】
前記第１および第２の連続一時平均値（Ｌ１ａｖｇ［ｉ］、Ｌ２ａｖｇ［ｉ］）はそれぞれ、前記第１の信号または前記第２の信号のパルス周期の継続期間にわたり決定される請求項１〜３の一つに記載の成分濃度決定方法。
【請求項５】
成分の濃度を決定する基となる連続比（Ｒ［ｉ］）は、前記第１の信号（Ｌ１［ｉ］）、前記第２の信号（Ｌ２［ｉ］）、前記第１の連続一時平均値（Ｌ１ａｖｇ［ｉ］）および前記第２の連続一時平均値（Ｌ２ａｖｇ［ｉ］）を用いて、等式Ｒ［ｉ］＝ｌｎ（Ｌ１［ｉ］／Ｌ１ａｖｇ［ｉ］）／ｌｎ（Ｌ２［ｉ］／Ｌ２ａｖｇ［ｉ］）により決定される請求項１〜４の一つに記載の成分濃度決定方法。
【請求項６】
前記第１の交番成分（ＡＣ１［ｉ］）は前記第１の信号Ｌ１［ｉ］から前記連続第１一時平均値Ｌ１ａｖｇ［ｉ］を減ずることにより形成され、前記第２の交番成分（ＡＣ２［ｉ］）は前記第２の信号Ｌ２［ｉ］から前記連続第２一時平均値Ｌ２ａｖｇ［ｉ］を減ずることにより形成される請求項１〜５の一つに記載の成分濃度決定方法。
【請求項７】
人間の組織により反射されたまたは人間の組織を通して伝えられた少なくとも二つの所定波長の電磁波の強さから成分の濃度を決定する成分濃度決定方法であって、
（１）前記受信された電磁波の強さを少なくとも一つの第１のおよび一つの第２の電気信号（Ｌ１［ｉ］、Ｌ２［ｉ］）に変換するステップと、
（２）前記第１の信号の連続第１一時平均値（Ｌ１ａｖｇ［ｉ］）を形成するステップと、
（３）前記第２の信号の連続第２一時平均値（Ｌ２ａｖｇ［ｉ］）を形成するステップと、
（４）前記第１の信号および前記第１の平均値から第１の交番成分（ＡＣ１［ｉ］）を連続的に決定するステップと、
（５）前記第２の信号および前記第２の平均値から第２の交番成分（ＡＣ２［ｉ］）を連続的に決定するステップと、
（６）前記二つの交番成分の連続差値（ΔＡＣ［ｉ］）を決定するステップと、
（７）前記第１の平均値を前記連続差値のサブ周期にわたり積分することにより第１の積分平均値（Ｌ１ａｖｇ［Ｔ／２］）を決定するステップと、
（８）前記第２の平均値を前記サブ周期にわたり積分することにより第２の積分平均値（Ｌ２ａｖｇ［Ｔ／２］）を決定するステップと、
（９）前記第１の交番成分または前記第２の交番成分を前記サブ周期にわたり積分することにより積分交番成分（ＡＣ１［Ｔ／２］、ＡＣ２［Ｔ／２］）を決定するステップと、
（１０）前記差値を前記サブ周期にわたり積分することにより第１の積分差値（ΔＡＣ［Ｔ／２］）を決定するステップと、
（１１）瞬時的第１または第２の交番成分を、妨害皆無または妨害を受けていると判定するステップと、
（１２）前記瞬時的第１または第２の交番成分が妨害皆無と判定されれば、      前記積分差値（ΔＡＣ［Ｔ／２］）、前記積分交番成分（ＡＣ２［Ｔ／２］）、および前記二つの積分平均値（Ｌ１ａｖｇ［Ｔ／２］、Ｌ２ａｖｇ［Ｔ／２］）に基づき積分比値（Ｒ［Ｔ／２］）を決定し、
前記積分比値（Ｒ［Ｔ／２］）から成分の濃度を得るステップと、
（１３）その他の場合には、
前記積分差値（ΔＡＣ［Ｔ／２］）、決定された前記積分交番成分が妨害皆無と判定された前記先行サブ周期中に決定された積分交番成分（ＡＣ２’［Ｔ／２］）、および比が人工生成物のもとで一定であるが、突然の濃度変化時には一定でない前記二つの積分平均値（Ｌ１ａｖｇ［Ｔ／２］、Ｌ２ａｖｇ［Ｔ／２］）に基づき、積分比値（Ｒ’［Ｔ／２］）を決定し、
前記積分比値（Ｒ’［Ｔ／２］）から成分の濃度を得るステップと、を備えている成分濃度決定方法。
【請求項８】
請求項７の（７）〜（１０）のそれぞれに使用した前記サブ周期は、前記連続差値（ΔＡＣ［ｉ］）の半波である請求項７に記載の成分濃度決定方法。
【請求項９】
ＡＣを妨害皆無交番成分、ＡＣｓを妨害を受ける交番成分としたとき、請求項７の（１１）において、前記第１の交番成分または前記第２の交番成分は、０．６・ＡＣ＜ＡＣｓ＜１．４・ＡＣのとき妨害皆無と判定される請求項７または８に記載の成分濃度決定方法。
【請求項１０】
請求項７のステップ（１１）で、前記第１の交番成分または前記第２の交番成分は、前記差値（ΔＡＣ［ｉ］）のゼロ通過、および前記第１の交番成分または前記第２の交番成分（ＡＣ１［ｉ］、ＡＣ２［ｉ］）に基づき判定される請求項７または８に記載の成分濃度決定方法。
【請求項１１】
決定される前記成分の前記濃度は、ガス飽和、特に動脈酸素飽和度である請求項１〜１０の一つに記載の成分濃度決定方法。
【請求項１２】
人間の組織により反射されたまたは人間の組織を通して伝えられた少なくとも二つの所定波長の電磁波の強さから人間の組織を通る血液の流れの脈拍数を決定する脈拍数決定方法であって、
（１）前記受信された電磁波の強さを少なくとも一つの第１のおよび一つの第２の電気信号（Ｌ１［ｉ］、Ｌ２［ｉ］）に変換するステップと、
（２）前記第１の信号の連続第１一時平均値（Ｌ１ａｖｇ［ｉ］）を形成するステップと、
（３）前記第２の信号の連続第２一時平均値（Ｌ２ａｖｇ［ｉ］）を形成するステップと、
（４）前記第１の信号および前記第１の平均値から第１の交番成分（ＡＣ１［ｉ］）を連続的に決定するステップと、
（５）前記第２の信号および前記第２の平均値から第２の交番成分（ＡＣ２［ｉ］）を連続的に決定するステップと、
（６）前記二つの交番成分の連続差値（ΔＡＣ［ｉ］）を決定するステップと、
（７）前記差値（ΔＡＣ［ｉ］）のゼロ通過に基づき血液の流れの脈拍数を決定するステップと、を備えている脈拍数決定方法。
【請求項１３】
人間の組織により反射されたまたは人間の組織を通して伝えられた少なくとも二つの所定波長の電磁波の強さから成分の濃度を決定する成分濃度決定装置であって、
前記受信された電磁波の強さを少なくとも一つの第１のおよび一つの第２の電気信号（Ｌ１［ｉ］、Ｌ２［ｉ］）に変換する手段と、
前記第１の信号の連続第１一時平均値（Ｌ１ａｖｇ［ｉ］）を形成する手段と、
前記第２の信号の連続第２一時平均値（Ｌ２ａｖｇ［ｉ］）を形成する手段と、
前記第１の信号および前記第１の平均値から第１の交番成分（ＡＣ１［ｉ］）を連続的に決定する手段と、
前記第２の信号および前記第２の平均値から第２の交番成分（ＡＣ２［ｉ］）を連続的に決定する手段と、
前記交番成分のゼロ通過に近い領域を除き、前記第１および第２の信号からの他、前記第１および第２の連続一時平均値からも連続比（Ｒ［ｉ］）を決定する手段と、
前記連続比（Ｒ［ｉ］）から成分の濃度を得る手段と、を備えている成分濃度決定装置。
【請求項１４】
人間の組織により反射されたまたは人間の組織を通して伝えられた少なくとも二つの所定波長の電磁波の強さから成分の濃度を決定する成分濃度決定装置であって、
前記受信された電磁波の強さを少なくとも一つの第１のおよび一つの第２の電気信号（Ｌ１［ｉ］、Ｌ２［ｉ］）に変換する手段と、
前記第１の信号の連続第１一時平均値（Ｌ１ａｖｇ［ｉ］）を形成する手段と、
前記第２の信号の連続第２一時平均値（Ｌ２ａｖｇ［ｉ］）を形成する手段と、
前記第１の信号および前記第１の平均値から第１の交番成分（ＡＣ１［ｉ］）を連続的に決定する手段と、
前記第２の信号および前記第２の平均値から第２の交番成分（ＡＣ２［ｉ］）を連続的に決定する手段と、
前記二つの交番成分の連続差値（ΔＡＣ［ｉ］）を決定する手段と、
前記第１の平均値を前記連続差値のサブ周期にわたり積分することにより第１の積分平均値（Ｌ１ａｖｇ［Ｔ／２］）を決定する手段と、
前記第２の平均値を前記サブ周期にわたり積分することにより第２の積分平均値（Ｌ２ａｖｇ［Ｔ／２］）を決定する手段と、
前記第１の交番成分または前記第２の交番成分を前記サブ周期にわたり積分することにより積分交番成分（ＡＣ１［Ｔ／２］、ＡＣ２［Ｔ／２］）を決定する手段と、
前記差値を前記サブ周期にわたり積分することにより第１の積分差値（ΔＡＣ［Ｔ／２］）を決定する手段と、
瞬時的第１または第２の交番成分を、妨害皆無または妨害を受けていると判定する手段と、
前記積分差値（ΔＡＣ［Ｔ／２］）、前記積分交番値（ＡＣ２［Ｔ／２］）、および前記二つの積分平均値（Ｌ１ａｖｇ［Ｔ／２］、Ｌ２ａｖｇ［Ｔ／２］）に基づき積分比値（Ｒ［Ｔ／２］）を決定し、さらに、前記瞬時的第１または第２の交番成分が、判定する前記手段により妨害皆無と判定されれば、前記積分比値（Ｒ［Ｔ／２］）から成分の濃度を得る手段を備えている手段と、
前記積分差値（ΔＡＣ［Ｔ／２］）に基づき、決定された前記積分交番成分が妨害皆無と判定された前記先行サブ周期中に決定された前記積分交番成分（ＡＣ２’［Ｔ／２］）に基づき、および二つの積分平均値（Ｌ１ａｖｇ［Ｔ／２］、Ｌ２ａｖｇ［Ｔ／２］）に基づき、積分比値（Ｒ’［Ｔ／２］）を決定し、さらに、前記瞬時的第１または第２の交番成分が、判定する前記手段により妨害皆無と判定されれば、前記積分比値（Ｒ’［Ｔ／２］）から成分の濃度を得る手段を備えている手段と、を備えている成分濃度決定装置。
【請求項１５】
決定される前記成分の前記濃度は、ガス飽和、特に動脈酸素飽和度である請求項１３または１４に記載の成分濃度決定方法。
【請求項１６】
人間の組織により反射されたまたは人間の組織を通して伝えられた少なくとも二つの所定波長の電磁波の強さから人間の組織を通る血液の流れの脈拍数を決定する脈拍数決定方法であって、
前記受信された電磁波の強さを少なくとも一つの第１のおよび一つの第２の電気信号（Ｌ１［ｉ］、Ｌ２［ｉ］）に変換する手段と、
前記第１の信号の連続第１一時平均値（Ｌ１ａｖｇ［ｉ］）を形成する手段と、
前記第２の信号の連続第２一時平均値（Ｌ２ａｖｇ［ｉ］）を形成する手段と、
前記第１の信号および前記第１の平均値から第１の交番成分（ＡＣ１［ｉ］）を連続的に決定する手段と、
前記第２の信号および前記第２の平均値から第２の交番成分（ＡＣ２［ｉ］）を連続的に決定する手段と、
前記二つの交番成分の連続差値（ΔＡＣ［ｉ］）を決定する手段と、
前記差値（ΔＡＣ［ｉ］）のゼロ通過に基づき血液の流れの脈拍数を決定する手段と、を備えている脈拍数決定装置。